(57)【要約】【課題】反射部材を別部品とした場合における組立作業性の低下を抑えた照明器具を提供する。【解決手段】縦板３１は、枠部３０の開口端縁から枠部３０の厚み方向に延長されている。横板３２は、縦板３１の端縁から縦板３１と交差する方向で且つ外向きに延長されている。第１支持板４１は、反射板４０の端縁から延長され、取付状態において縦板３１に沿って配置される。第２支持板４２は、第１支持板４１の端縁から第１支持板４１と交差する方向で且つ反射板４０と反対側に延長され、取付状態において横板３２に沿って配置される。縦板３１にはブリッジ３１０が設けられ、且つ第１支持板４１にはブリッジ３１０が差し込まれる溝部４１０が設けられている。そして、反射部材４が化粧枠３に取り付けられた状態では、第２支持板４２と横板３２とが接触し、且つブリッジ３１０が溝部４１０に差し込まれる。【選択図】図１
2015141763.tif 000002
【特許請求の範囲】
【請求項１】
光源からの光を照明空間側に反射させる反射部材と、前記反射部材を支持する化粧枠とを備え、
前記化粧枠は、矩形枠状に形成された枠部と、前記枠部の開口端縁から前記枠部の厚み方向に延長された縦壁部と、前記縦壁部の端縁から前記縦壁部と交差する方向で且つ外向きに延長された横壁部とを有し、
前記反射部材は、反射板と、前記反射板の端縁から延長され、取付状態において前記縦壁部に沿って配置される第１支持板と、前記第１支持板の端縁から前記第１支持板と交差する方向で且つ前記反射板と反対側に延長され、取付状態において前記横壁部に沿って配置される第２支持板とを有し、
前記第１支持板又は前記縦壁部の一方に突出部が設けられ、且つ前記第１支持板又は前記縦壁部の他方に前記突出部が差し込まれる被差込部が設けられており、
前記反射部材が前記化粧枠に取り付けられた状態では、前記第２支持板と前記横壁部とが接触し、且つ前記突出部が前記被差込部に差し込まれていることを特徴とする照明器具。
【請求項２】
前記反射部材は、前記第２支持板の端縁から前記第１支持板と同じ方向に延長され、先端に近づくほど前記第１支持板から離れる方向に傾斜する傾斜板を有していることを特徴とする請求項１記載の照明器具。
【請求項３】
前記化粧枠は、前記光源を支持する器具本体に対して前記化粧枠を取り付けるための取付ばねを有し、
前記反射部材の前記傾斜板は、前記化粧枠に取り付けられた前記取付ばねの移動を規制する規制手段として兼用されることを特徴とする請求項２記載の照明器具。
【請求項４】
前記化粧枠は、前記取付ばねを固定するための固定金具を有し、
前記反射部材の前記傾斜板は、前記取付ばねを固定する方向に前記固定金具を押し付ける押付手段として兼用されることを特徴とする請求項２又は３記載の照明器具。
【発明の詳細な説明】
【技術分野】
【０００１】
本発明は、照明器具に関するものである。
【背景技術】
【０００２】
従来より、天井埋込型の照明器具が提供されている（例えば特許文献１参照）。特許文献１に記載された照明器具は、下面が開口する矩形箱状に形成された器具本体と、上記開口を閉塞するように器具本体に取り付けられるＬＥＤユニットと、ＬＥＤユニットに点灯電力を供給する点灯装置とを備える。
【０００３】
ＬＥＤユニットは、複数のＬＥＤが実装されたＬＥＤ基板を有する光源ブロックと、光源ブロックの下方に配置される反射板ブロックと、反射板ブロックの下方に配置される枠体とを具備する。枠体は、矩形枠状に形成された枠部を有しており、枠部の内側面は、下方に向かって外側に傾斜し、且つ反射面として機能する傾斜面となっている。
【先行技術文献】
【特許文献】
【０００４】
【特許文献１】特開２０１２−１４６４９３号公報
【発明の概要】
【発明が解決しようとする課題】
【０００５】
上述の特許文献１に示した照明器具は、反射板が枠体と一体に設けられた構造であるが、このような照明器具において反射板を別部品とした場合には、取付ねじを用いて反射板を取り付けるのが一般的である。しかしながら、この場合、反射板をねじ止めする作業の分だけ作業工程が増加するため、組立作業性が低下してしまうという問題がある。
【０００６】
本発明は上記問題点に鑑みて為されたものであり、反射部材を別部品とした場合における組立作業性の低下を抑えた照明器具を提供することを目的とする。
【課題を解決するための手段】
【０００７】
本発明の照明器具は、光源からの光を照明空間側に反射させる反射部材と、前記反射部材を支持する化粧枠とを備え、前記化粧枠は、矩形枠状に形成された枠部と、前記枠部の開口端縁から前記枠部の厚み方向に延長された縦壁部と、前記縦壁部の端縁から前記縦壁部と交差する方向で且つ外向きに延長された横壁部とを有し、前記反射部材は、反射板と、前記反射板の端縁から延長され、取付状態において前記縦壁部に沿って配置される第１支持板と、前記第１支持板の端縁から前記第１支持板と交差する方向で且つ前記反射板と反対側に延長され、取付状態において前記横壁部に沿って配置される第２支持板とを有し、前記第１支持板又は前記縦壁部の一方に突出部が設けられ、且つ前記第１支持板又は前記縦壁部の他方に前記突出部が差し込まれる被差込部が設けられており、前記反射部材が前記化粧枠に取り付けられた状態では、前記第２支持板と前記横壁部とが接触し、且つ前記突出部が前記被差込部に差し込まれていることを特徴とする。
【０００８】
この照明器具において、前記反射部材は、前記第２支持板の端縁から前記第１支持板と同じ方向に延長され、先端に近づくほど前記第１支持板から離れる方向に傾斜する傾斜板を有しているのが好ましい。
【０００９】
また、この照明器具において、前記化粧枠は、前記光源を支持する器具本体に対して前記化粧枠を取り付けるための取付ばねを有し、前記反射部材の前記傾斜板は、前記化粧枠に取り付けられた前記取付ばねの移動を規制する規制手段として兼用されるのも好ましい。
【００１０】
また、この照明器具において、前記化粧枠は、前記取付ばねを固定するための固定金具を有し、前記反射部材の前記傾斜板は、前記取付ばねを固定する方向に前記固定金具を押し付ける押付手段として兼用されるのも好ましい。
【発明の効果】
【００１１】
本発明の構成によれば、反射部材の第２支持板を化粧枠の横壁部に接触させ、且つ突出部を被差込部に差し込むだけで反射部材を化粧枠に取り付けることができ、取付ねじで取り付ける場合と比較して、組立作業性の低下を抑えることができるという効果がある。
【図面の簡単な説明】
【００１２】
【図１】（ａ）〜（ｃ）は本実施形態の照明器具において化粧枠に反射部材を取り付ける手順を説明する説明図である。
【図２】同上の分解斜視図である。
【図３】同上の外観斜視図である。
【図４】（ａ）、（ｂ）は同上において化粧枠に反射部材を取り付ける手順を説明する別の説明図である。
【図５】同上の要部拡大図である。
【図６】同上において化粧枠に反射部材を取り付けた状態の一部省略せる断面図である。
【図７】（ａ）は同上において化粧枠に反射部材を取り付ける前の一部拡大図、（ｂ）は同上において化粧枠に反射部材を取り付けた後の一部拡大図である。
【発明を実施するための形態】
【００１３】
以下に、照明器具の実施形態について図面を参照しながら説明する。本実施形態の照明器具は、天井板に直付けされる天井直付け型の照明器具である。但し、本発明の技術思想が適用可能な照明器具は天井直付け型のものに限定されず、例えば天井板に設けられた埋込孔に器具本体が埋め込まれる天井埋込型の照明器具であってもよい。なお、以下の説明では特に断りが無い限り、図２において上下、前後、左右の各方向を規定する。
【００１４】
本実施形態の照明器具は、図２に示すように、器具本体１と、光源ブロック２と、化粧枠３と、複数（図２では２つ）の反射部材４とを備える。また、光源ブロック２は、複数（図２では３つ）の光源ユニット５と、電源装置（図示せず）と、複数（図２では２つ）の反射部材７と、取付板８とを有する。
【００１５】
光源ユニット５は、ＬＥＤモジュール５０と、取付部材５１と、カバー５２と、一対のカバーエンド５３と、一対の反射シート５４とを備える。
【００１６】
ＬＥＤモジュール５０は、セラミックスなどの絶縁材料からなる基板５００と、基板５００の表面（下面）に等間隔且つ２列に並べて実装される複数個の発光ダイオード５０１とを有する。また、基板５００の長手方向（前後方向）の一端には、レセプタクルコネクタ５０２が実装される。
【００１７】
レセプタクルコネクタ５０２は、基板５００に形成されたプリント配線（図示せず）を介して各発光ダイオード５０１と電気的に接続されている。さらに、基板５００は、短手方向（左右方向）における両端に、３つの貫通孔５０３がそれぞれ長手方向（前後方向）に沿って等間隔に設けられている。ここに、本実施形態では、発光ダイオード５０１により光源が構成されている。
【００１８】
取付部材５１は、長尺且つ矩形板状に形成された底壁部５１０と、底壁部５１０の短手方向（左右方向）における両端から上向きに立ち上がる一対の側壁部５１１とを有する角樋状に形成されている。底壁部５１０は、短手方向（左右方向）における両端に、３つの切り起こし片５１２がそれぞれ長手方向（前後方向）に沿って等間隔に設けられている。
【００１９】
ＬＥＤモジュール５０は、取付部材５１の底壁部５１０と基板５００とが密着した状態で、取付部材５１の６つの切り起こし片５１２が、基板５００の各貫通孔５０３に挿通された後にかしめられることにより、取付部材５１に取り付けられる。
【００２０】
反射シート５４は、ポリエチレンテレフタレートなどの合成樹脂材料によりシート状に形成されている。また、反射シート５４は、白色に着色されることで表面（接着剤が塗布されていない面）が反射面となるように形成されている。
【００２１】
そして、一対の反射シート５４は、発光ダイオード５０１を避けつつ底壁部５１０と基板５００に被さるように、底壁部５１０と基板５００の表面（下面）に貼り付けられる。つまり、発光ダイオード５０１から放射される光を反射シート５４の反射面に反射させることで、より多くの光を照明空間に照射することができる。
【００２２】
カバー５２は、アクリル樹脂やポリカーボネート樹脂などの透光性を有する材料により、略半円筒形の主部５２０と、主部５２０の短手方向（左右方向）における両端部より互いに並行するように上向きに突出する一対の突壁部５２１とが一体に形成されている。また、各突壁部５２１の先端（上端）には、内向きに突出する突起部５２１０がそれぞれ一体に設けられている。
【００２３】
さらに、主部５２０の短手方向における両端には、主部５２０と連なるように各突壁部５２１の外側まで延出された延出部５２２がそれぞれ一体に形成されている。そして、カバー５２は、各突壁部５２１の突起部５２１０が、取付部材５１の各側壁部５１１の先端（上端）に引っ掛かることにより、ＬＥＤモジュール５０の前方（下方）を覆うように取付部材５１の下面側に取り付けられる。
【００２４】
なお、カバー５２は乳白色の拡散材が混入され、ＬＥＤモジュール５０から放射される光を拡散させて照明空間へ照射するように構成されている。
【００２５】
カバーエンド５３は、カバー５２と同じ材料で半円板状に形成され、カバー５２及び取付部材５１の長手方向における両端にそれぞれ取り付けられる。
【００２６】
取付板８は、鋼板などの金属板により矩形（正方形）板状に形成されている。但し、取付板８は、４つの辺が同じ向き（下向き）に曲げ起こされることで強度の向上が図られている。そして、３つの光源ユニット５は、長手方向が前後方向に揃えられ、左右方向に沿って等間隔に並んだ状態で、ねじ止めなどの適宜の方法によって取付板８の下面に取り付けられる。また、図示しない電源装置は、隣り合う２つの光源ユニット５の間において、ねじ止めなどの適宜の方法によって取付板８の下面に取り付けられる。
【００２７】
反射部材７は、隣り合う光源ユニット５の間に生じる２箇所のスペースにそれぞれ配置される。これらの反射部材７は同一の構成を有し、一対の反射板７０と、各反射板７０の上端から上向きに延びる一対の側板７１とが、長方形状の金属板を曲げ加工することで一体に形成されている。一対の反射板７０は、短手方向における一方の端縁同士が繋がっており、長手方向（前後方向）から見てＶ字状に形成されている。
【００２８】
側板７１は、長手方向（前後方向）の両端における先端（上端）にそれぞれ差込片７１０が設けられている。そして、取付板８に設けられた複数の差込孔８０に各側板７１の差込片７１０が差し込まれることにより、取付板８に反射部材７が取り付けられる。
【００２９】
なお、取付板８に取り付けられた電源装置（図示せず）は、取付板８に取り付けられる反射部材７で覆い隠される。このように、反射部材７と取付板８で囲まれるデッドスペースに電源装置が配置されるため、電源装置が取付板８の背面（上面）に取り付けられる場合と比較して、光源ブロック２の低背化を図ることができる。
【００３０】
器具本体１は、鋼板などの金属板により矩形（正方形）板状に形成されている。但し、器具本体１は、４つの辺が同じ向き（下向き）に曲げ起こされることで強度の向上が図られている。
【００３１】
また、器具本体１は、給電用の電源線が挿通される第１挿通孔１０と、調光用の制御信号などが伝送される信号線が挿通される第２挿通孔１１とが設けられている。第１挿通孔１０に挿通される電源線（図示せず）は、器具本体１の下面に固定される第１端子台９Ａに接続される。第１端子台９Ａは、図示しない接続部に電線（図示せず）の一端が接続される。そして、この電線の他端が電源装置の入力端子台（図示せず）に接続される。故に、商用電源から第１端子台９Ａを介して電源装置に交流電力が給電される。
【００３２】
また、器具本体１の下面には、第２端子台９Ｂも固定される。第２端子台９Ｂは、第２挿通孔１１に挿通される信号線（図示せず）と、電源装置の信号端子台（図示せず）に接続される信号線とがそれぞれ接続される。つまり、図示しない調光器から信号線を介して伝送される調光信号が第２端子台９Ｂを通して電源装置の信号端子台に入力される。
【００３３】
電源装置は、調光信号に対応して、出力（直流電力）を定格値から減少させることで各光源ユニット５を調光するように構成されている。さらに、器具本体１は、図示しない吊りボルトが挿通される複数（図２では１つのみ図示）のボルト挿通孔１２が四隅に設けられている。
【００３４】
化粧枠３は、鋼板などの金属板により矩形枠状に形成された枠部３０を有し、枠部３０の中央には矩形の開口部３００が設けられている。また、枠部３０において対向する一方（左右方向）の開口端縁には、上向きに延長された縦板３１（縦壁部）がそれぞれ一体に形成されている。さらに、各縦板３１の上端には、水平方向（縦板３１と交差する方向）で且つ外向きに延長された横板３２（横壁部）がそれぞれ一体に形成されている。
【００３５】
各縦板３１には、縦板３１の一部を切り起こすことにより形成された台形状のブリッジ３１０が前後方向における両端にそれぞれ設けられている。また、各横板３２には、反射部材４を取り付けるための取付ねじ（図示せず）がねじ込まれるねじ孔３２０（図４（ａ）参照）が前後方向における両端及び中央にそれぞれ設けられている。
【００３６】
また、枠部３０において対向する他方（前後方向）の開口端縁には、上向きに延長された縦板３３がそれぞれ一体に形成され、さらに各縦板３３の上端には、水平方向で且つ内向きに延長された取付板３４がそれぞれ一体に形成されている。そして、上述の光源ブロック２は、図示しない取付ねじを用いて一対の取付板３４に取り付けられる（図４（ａ）参照）。
【００３７】
また、枠部３０の上面において開口部３００の四隅近傍には、化粧枠３を器具本体１に取り付けるための取付ばね３５が、それぞれ固定金具３６を用いて取り付けられている（図４及び図７参照）。各取付ばね３５は、線ばねをコイル状に巻回して形成された基端部３５０と、基端部３５０の両端から互いに離れる方向に延長された一対の腕部３５１とを有している。そして、器具本体１の四隅近傍にそれぞれ設けられた被引掛部（図示せず）に各取付ばね３５がそれぞれ引っ掛けられることにより、化粧枠３が器具本体１に取り付けられる。
【００３８】
反射部材４は、鋼板などの金属板に曲げ加工することで形成され、前後方向に長い矩形板状に形成された反射板４０と、反射板４０の左右方向における端縁から上下方向に延長された第１支持板４１とを有する。また、反射部材４は、第１支持板４１の上端から水平方向（第１支持板４１と交差する方向）で且つ反射板４０と反対側に延長された第２支持板４２と、第２支持板４２の端縁から斜め下向きに延長された傾斜板４３とを有する。
【００３９】
反射部材４の表面には白色塗装が施されており、反射板４０の下面が反射面として機能する。第１支持板４１の前後方向における両端には、縦板３１の各ブリッジ３１０が差し込まれる矩形の溝部４１０がそれぞれ設けられている。また、第２支持板４２には、横板３２に設けられたねじ孔３２０にねじ込まれる取付ねじ（図示せず）が挿通されるねじ挿通孔４２０が、前後方向における両端及び中央にそれぞれ設けられている。
【００４０】
ここに、本実施形態では、ブリッジ３１０により突出部が構成され、溝部４１０により被差込部が構成されている。
【００４１】
次に、本発明の要旨である化粧枠３に対する反射部材４の取付構造について、図１及び図３〜図５を参照しながら詳細に説明する。なお、反射部材４を化粧枠３に取り付ける段階では、図４（ａ）に示すように、光源ブロック２が化粧枠３に取り付けられている。
【００４２】
作業者は、化粧枠３の縦板３１と光源ブロック２の取付板８の間の隙間３０１に反射部材４の反射板４０を差し込み、反射板４０と第１支持板４１の折り曲げ部分が、縦板３１のブリッジ３１０よりも下側となるように反射部材４を移動させる（図１（ａ）参照）。
【００４３】
その後、作業者は、反射板４０と第１支持板４１の折り曲げ部分を支点として反射部材４を外側（図１（ｂ）中の矢印Ａ１方向）に回転させる。これにより、縦板３１の各ブリッジ３１０が第１支持板４１の対応する溝部４１０にそれぞれ差し込まれ、さらに第２支持板４２が横板３２と面接触する（図１（ｃ）及び図５参照）。
【００４４】
なおこのとき、傾斜板４３は、横板３２の端縁部分に接触しながら移動し、取付時のガイドとして機能する。また、本実施形態では、化粧枠３に対して反射部材４を強固に取り付けるために、前後方向における中央に設けられたねじ孔３２０に取付ねじ（図示せず）がねじ込まれる。
【００４５】
ここに、反射部材４が化粧枠３に取り付けられた状態（図１（ｃ）に示す状態）では、反射部材４の弾性力により第１支持板４１に対して上向きの力が加えられる。一方、縦板３１のブリッジ３１０が第１支持板４１の溝部４１０に差し込まれているため、第１支持板４１は移動することなく、反射部材４が化粧枠３に保持される。このとき、傾斜板４３が化粧枠３の横板３２の端縁部分に引っ掛かっており、これにより反射部材４が抜け止めされる。
【００４６】
また、反射部材４が化粧枠３に取り付けられた状態（図６に示す状態）では、反射板４０の先端が取付板８の先端（下端）に接触し、取付板８に対して上向きの力を加える。これにより、取付板８の端縁部分が下向きに垂れ下がるのを抑えることができる。
【００４７】
また、反射部材４が化粧枠３に取り付けられた状態では、図６及び図７（ｂ）に示すように、傾斜板４３から加えられる下向きの力により、固定金具３６が下向きに押し付けられ、これにより取付ばね３５が外れるのを防止している。つまり、本実施形態では、反射部材４の傾斜板４３が、押付手段として兼用される。
【００４８】
さらに、反射部材４が化粧枠３に取り付けられた状態では、図６に示すように、傾斜板４３から取付ばね３５に対して加えられる外向きの力により、取付ばね３５が内側に移動するのを規制している。つまり、本実施形態では、反射部材４の傾斜板４３が、規制手段として兼用される。
【００４９】
而して、本実施形態によれば、反射部材４の第２支持板４２を化粧枠３の横板３２に接触させ、且つブリッジ３１０を溝部４１０に差し込むだけで化粧枠３に反射部材４を取り付けることができる。したがって、取付ねじを用いて化粧枠３に反射部材４を取り付ける場合と比較して、組立作業性の低下を抑えることができる。
【００５０】
また、本実施形態のように、発光ダイオード５０１からの光を照明空間側に反射させる機能以外の複数の機能を反射部材４に持たせた場合には、各機能を実現するための部品を削減することができ、これによりコストダウンを図ることができる。
【００５１】
さらに、本実施形態のように、第２支持板４２の端縁に傾斜板４３を設けた場合には、反射部材４を化粧枠３に取り付ける際に傾斜板４３をガイドとして機能させることができる。また、反射部材４を化粧枠３に取り付けた状態では、傾斜板４３を抜け止めとして機能させることができる。
【００５２】
なお、本実施形態では、反射部材４の第１支持板４１側に溝部４１０（被差込部）を設け、且つ化粧枠３の縦板３１側にブリッジ３１０（突出部）を設けたが、反射部材４側に突出部を設け、且つ化粧枠３側に被差込部を設けてもよい。また、被差込部は溝部４１０に限定されるものではなく、例えばブリッジ３１０が差し込まれる大きさの孔（図示せず）であってもよい。
【００５３】
さらに、本実施形態では、反射部材４の第２支持板４２の端縁に傾斜板４３を設けたが、少なくとも反射板４０と第１支持板４１と第２支持板４２とが設けられていればよく、傾斜板４３はなくてもよい。また、本実施形態では、規制手段及び押付手段として傾斜板４３を兼用しているが、必ずしも兼用する必要はなく、本実施形態に限定されない。
【００５４】
さらに、化粧枠３に対する反射部材４の取付方法については上述の方法に限定されず、例えば縦板３１のブリッジ３１０を第１支持板４１の溝部４１０に差し込んだ後、ブリッジ３１０を支点として反射部材４を回転させて取り付けることもできる。
【００５５】
本実施形態の照明器具は、発光ダイオード５０１（光源）からの光を照明空間側に反射させる反射部材４と、反射部材４を支持する化粧枠３とを備える。化粧枠３は、枠部３０と、縦板３１（縦壁部）と、横板３２（横壁部）とを有する。枠部３０は、矩形枠状に形成されている。縦板３１は、枠部３０の開口端縁から枠部３０の厚み方向に延長されている。横板３２は、縦板３１の端縁から縦板３１と交差する方向で且つ外向きに延長されている。反射部材４は、反射板４０と、第１支持板４１と、第２支持板４２とを有する。第１支持板４１は、反射板４０の端縁から延長され、取付状態において縦板３１に沿って配置される。第２支持板４２は、第１支持板４１の端縁から第１支持板４１と交差する方向で且つ反射板４０と反対側に延長され、取付状態において横板３２に沿って配置される。第１支持板４１又は縦板３１の一方には突出部（ブリッジ３１０）が設けられ、且つ第１支持板４１又は縦板３１の他方には前記突出部が差し込まれる被差込部（溝部４１０）が設けられている。そして、反射部材４が化粧枠３に取り付けられた状態では、第２支持板４２と横板３２とが接触し、且つ前記突出部が前記被差込部に差し込まれる。
【００５６】
また、本実施形態の照明器具のように、反射部材４は、第２支持板４２の端縁から第１支持板４１と同じ方向に延長され、先端に近づくほど第１支持板４１から離れる方向に傾斜する傾斜板４３を有しているのが好ましい。
【００５７】
また、本実施形態の照明器具のように、化粧枠３は、発光ダイオード５０１を支持する器具本体１に対して化粧枠３を取り付けるための取付ばね３５を有するのが好ましい。この場合、反射部材４の傾斜板４３は、化粧枠３に取り付けられた取付ばね３５の移動を規制する規制手段として兼用される。
【００５８】
また、本実施形態の照明器具のように、化粧枠３は、取付ばね３５を固定するための固定金具３６を有するのが好ましい。この場合、反射部材４の傾斜板４３は、取付ばね３５を固定する方向に固定金具３６を押し付ける押付手段として兼用される。
【符号の説明】
【００５９】
３  化粧枠
４  反射部材
３０  枠部
３１  縦板（縦壁部）
３２  横板（横壁部）
４０  反射板
４１  第１支持板
４２  第２支持板
３１０  ブリッジ（突出部）
４１０  溝部（被差込部）
【図１】
2015141763.tif 000003
【図２】
2015141763.tif 000004
【図３】
2015141763.tif 000005
【図４】
2015141763.tif 000006
【図５】
2015141763.tif 000007
【図６】
2015141763.tif 000008
【図７】
2015141763.tif 000009